(57)【要約】【課題】傘布が、視界を遮る事が無い透明状態と、太陽光線を遮る不透明状態と、に容易に切り替え可能であり、且つ透明状態と不透明状態を部分的に設定することにより傘布に高い意匠性を付与することが可能であることを特徴とする傘を提供することを課題とする。【解決手段】雨傘と日傘を兼用可能な傘３０であって、傘布２４が調光フィルム２５からなり、調光フィルムの駆動を制御する電池２０と制御回路１８とスイッチ１９を備えた制御手段が、傘の把持部１に備えられていることを特徴とする傘。【選択図】図１
2019080714.tif 000002
【特許請求の範囲】
【請求項１】
調光フィルムを有する傘布と、
前記調光フィルムに電圧を印加する電源と、
前記電源から電圧の印加の許否を行うことにより、前記調光フィルムを駆動制御する制御手段と、
前記制御手段を作動させるスイッチと、を有することを特徴とする傘。
【請求項２】
少なくとも前記電源および前記制御手段が、傘の把持部に備えられていることを特徴とする請求項１に記載の傘。
【請求項３】
前記スイッチは、押下動作により駆動する構成を有し、
前記スイッチは、傘の把持部に設けられていることを特徴とする請求項１または２に記載の傘。
【請求項４】
前記スイッチは光センサを有し、
前記スイッチは、前記傘布近傍に設けられることを特徴とする請求項１から請求項３のいずれか１項に記載の傘。
【請求項５】
前記調光フィルムは、電圧が印加されている時に遮光状態となり、電圧が印加されていない時に透明となることを特徴とする請求項１から請求項４のいずれか１項に記載の傘。
【請求項６】
前記調光フィルムは、セグメント型の駆動電極またはマトリクス型の駆動電極を有することを特徴とする請求項１から請求項５のいずれか１項に記載の傘。
【発明の詳細な説明】
【技術分野】
【０００１】
本発明は、傘に関する。更に詳しくは、直接人体に当らない様にするため雨や雪などを遮る雨傘と、降り注ぐ日光を遮る日傘と、を兼用可能な傘に関する。
【背景技術】
【０００２】
傘は、雨や雪などが降っている時に使用される。また晴れていても、強い日光を遮り、日焼けなどを防ぐための日傘としても使用されている。この様に、傘は日常的に使用されている生活必需品である。
【０００３】
傘の構造について、図１（ａ）、（ｂ）を用いて説明する。
図１（ａ）は、傘の骨組み３１を模式的に例示した説明図である。傘の骨組み３１は、全体の支柱である中棒２の一方の端部に、傘全体を支持する中棒２を把持する把持部である手元１を備えている。中棒２のもう一方の端部は、石突３と呼ばれる傘の先端部を備えている。中棒２は通常は中空の円筒状の金属からなる。
【０００４】
石突３の近傍には、中棒２に固定された上ろくろ７と、上ろくろ７より手元１側に、中棒２に沿って摺動可能な中棒２より一回り大きい円筒状の下ろくろ６が備えられている。
【０００５】
上ろくろ７は、中棒２に固定された円筒状の部材であって、それに複数の親骨４が、通常は上ろくろ７から放射状に、同じ長さの親骨４が等角度間隔で配置され、親骨４の一方の端部は、上ろくろ７に回動可能に支持されている。回動可能とは、複数の親骨４の各々の上ろくろ７側の端部が中棒２となす角度の方向にのみ可動な状態で固定されていることを指す。各親骨４の上ろくろ７とは反対側の端部は、露先１７と呼ばれている。露先１７には、傘布２４が固定される。ここで傘布２４とは、傘３０の親骨４の上部を覆う布やシート状の物品である。図１（ｂ）に示す小間１２は隣接する親骨４の間の傘布２４を指す。
【０００６】
各親骨４は、親骨４の上ろくろ７から等距離の中間点に備えられただぼ８と、上ろくろ７と手元１の中間位置に備えられた下ろくろ６と、の間の各親骨４に１つずつの受骨５を備えている。各受骨４は、だぼ８と下ろくろ６に回動可能に接続されている。
【０００７】
傘の骨組み３１をこの様な構成とすることにより、下ろくろ６を中棒２に沿って摺動させることにより、すべての親骨４を開いたり、閉じたりすることが可能となる。親骨４を開くことは傘３０を開くことに対応する。親骨４を閉じることは傘３０をすぼめることに対応する。
【０００８】
下ろくろ６は、中棒２に沿って摺動可能であるが、下ろくろ６を上ろくろ７に沿って摺動して傘３０を開ききった状態で、固定可能となっている。下ろくろ６が固定可能となるのは、傘３０を開ききった位置に、上はじき１０が備えられているためである。上はじき１０は、中棒２に備えられた突起であって、バネによって中棒２の表面から突出しており、下ろくろ６が手元１側から摺動して上はじき１０を通過することは可能であるが、上はじき１０を通過した後は、上はじき１０の突起に当接して戻ることができない。下ろくろ６を手元１側に戻すには、上はじき１０を中棒２の中に押し込むことによって、下ろくろ６を通過させれば良い。
【０００９】
一方、下ろくろ６を中棒２に沿って摺動させて手元１側に戻すことにより、傘３０をすぼめた中棒２の位置には、上はじき７と同様の機能を備えた下はじき９が備えられている
。下はじき９は、下ろくろ６を上はじき１０側からは通過させることができるが、下はじき９を通過した後は、逆戻りできない。下はじき９はバネによって中棒２の表面から突出しており、上はじき７と逆に、上はじき１０側から下ろくろ６が通過することはできるが、手元１側から上はじき１０側には通過できない構造を備えている。その状態で下ろくろ６は固定されることになる。下はじき９を中棒２の中に押し込むことによって、下はじき９を通過させることができる。
【００１０】
なお、下ろくろ６が上はじき１０を通過した後は、上ろくろ７と上はじき１０の間に備えられた止めびょう１１が備えられており、下ろくろ６が止めびょう１１より上ろくろ７側に移動できないようになっている。
【００１１】
図１（ｂ）は、図１（ａ）に例示した親骨４に傘布２４を取り付けて傘３０とした説明図である。親骨４の要所要所に傘布２４を縫い付けるなどの固定手段を用いて固定する。露先にも同様の固定手段により固定することにより、傘布２４を取り付ける事ができる。
【００１２】
傘布２４の上ろくろ７の部分は、上ろくろ７が通る穴が形成されているため、雨が漏れる。そのため、水漏れ防止のための菊座１４という部材が石突３に通す形でその根元に備えられており、更に菊座１４の外側から押え付ける金具である陣笠１５が備えられているのが通常である。
【００１３】
また、上ろくろ７と菊座１４の間には、傘布２４の上ろくろ７側、すなわち傘の内側には、親骨４と傘布２４が直接触れて擦れない様に、天紙１６と呼ばれる当て布が接着されている。また小間１２（隣接する親骨４と親骨４の間の傘布２４）の外側の傘３０をすぼめた時に手元１に近い部位に、すぼめた傘３０の傘布２４を束ねるバンド１３を備えられているのが普通である。
【００１４】
このような傘３０の傘布２４として従来は主に布が使用されて来たが、近年、柔軟な透明樹脂シートを使用した所謂ビニール傘が多用される様になっている。布は遮光性が高く、耐久性もあるが、雨と共に風が吹いている場合、傘を風が吹いてくる方向に傾けて使用するため、視界が遮られる問題があった。その問題を解決可能な傘として、傘布２４に透明な樹脂シートを使用したビニール傘が出現した。
【００１５】
ビニール傘は、雨や雪が体に当るのを防ぎ、且つ傘布によって視界が遮られるという問題が無く、雨傘としては優れた機能を備えているものである。しかしながら、傘布が透明であるため、日傘としての機能は備えていない。
【００１６】
また、近年では傘布として各種の色が採用されており、特に婦人用の傘については、様々な絵柄などを備えた布が使用されている。更に、機能面においては、特許文献１に示すような発色性の優れた紫外線遮蔽性ポリエステル繊維による布が提案されており、高い紫外線遮蔽性能が要求される日傘への展開が期待される。
【００１７】
従来、日傘を使用するのは主に婦人であったが、紫外線による皮膚癌の発生が危惧されるようになって来たため、男性や子供であっても、過剰な紫外線を浴びない事が望ましいことが指摘される様になっており、日傘を使用するのが望ましいとされるに至っている。
【００１８】
また、特に婦人においては、日傘と雨傘の両方を持ち歩く場合もあった。しかしながら、日傘と雨傘の両方を持ち歩く事は非常に煩わしいため、日傘として兼用できるデザイン性や意匠性を備え、且つ雨傘として使用する時は透明とすることが可能な傘が望ましい。
【先行技術文献】
【特許文献】
【００１９】
【特許文献１】特許第３１７２５８９号公報
【発明の概要】
【発明が解決しようとする課題】
【００２０】
上記の事情に鑑み、本発明は、高い意匠性を持つ傘布を持つ晴雨兼用の傘を提供することを課題とする。
【課題を解決するための手段】
【００２１】
本発明の第一の態様は、調光フィルムを有する傘布と、
前記調光フィルムに電圧を印加する電源と、
前記電源から電圧の印加の許否を行うことにより、前記調光フィルムを駆動制御する制御手段と、
前記制御手段を作動させるスイッチと、を有することを特徴とする傘である。
傘布を調光フィルムとすることで、ビニール傘と同等の雨や雪が人に直接触れることを避ける性能を確保できる上に、調光フィルムに印加される電圧を変更することによって、遮光状態と透明状態を任意に設定することができる。傘を把持する把持部に調光フィルムに印加する電圧を変更するスイッチを備えているため、容易に遮光状態と透明状態を切り替えることができる。
【００２２】
また、第二の態様は、少なくとも前記電源および前記制御手段が、傘の把持部に備えられていることを特徴とする第一の態様に記載の傘である。
【００２３】
また、第三の態様は、前記スイッチは、押下動作により駆動する構成を有し、
前記スイッチは、傘の把持部に設けられていることを特徴とする第一の態様または第二の態様に記載の傘である。
調光フィルムの制御手段が傘の把持部に備えられていることにより、調光フィルムの透明状態と遮光状態を容易に制御可能となり、利便性の高い傘とすることができる。
【００２４】
また、第四の態様は、前記スイッチは光センサを有し、
前記スイッチは、前記傘布近傍に設けられることを特徴とする第一の態様から第三の態様のいずれかに記載の傘である。
光センサを傘布の近傍に備えることにより、日差しが強い状態と日差しが日傘をさすほどでは状態を自動的に検知し、調光フィルムのスイッチ操作を行わずとも調光フィルムの透明状態と遮光状態を切り替え可能となる。
【００２５】
また、第五の態様は、前記調光フィルムは、電圧が印加されている時に遮光状態となり、電圧が印加されていない時に透明となることを特徴とする第一の態様から第四の態様のいずれかに記載の傘である。
このような特性を備えた調光フィルムとして消費電力が小さいものが入手可能であるため電池の寿命を長くすることができる。また、電池が切れてしまった場合、調光フィルムは透明となるため、視界安全性を確保する事ができる。
【発明の効果】
【００２６】
以上のように本発明によれば、傘布に調光フィルムを適用することにより、傘布が、視界を遮る事が無い透明状態と、太陽光線を遮る遮光状態と、に容易に切り替え可能となる。これにより、高い意匠性を持つ傘布を持つ晴雨兼用の傘が提供される。
【図面の簡単な説明】
【００２７】
【図１】傘の構成を例示する説明図。
【図２】本発明の実施形態の傘の手元の構造例を示す断面説明図。
【図３】本発明の実施形態の傘に用いられる調光フィルムの層構成を例示する断面説明図。
【発明を実施するための形態】
【００２８】
本発明の傘は、雨傘と日傘を兼用可能な傘である。
本発明の傘においては、傘布として調光フィルムを使用しており、調光フィルムの駆動を制御する電池と制御回路とスイッチを備えた制御手段が、傘の把持部に備えられている。本発明の傘においては、調光フィルムが、電圧を印加している時に遮光状態となり、電圧を印加していない時に透明となるものであっても良い。また、調光フィルムがセグメント型の駆動電極によって駆動されるものであっても良い。また、調光フィルムがマトリクス型駆動電極によって駆動されるものであっても良い。また、調光フィルムの駆動を制御する電池と制御回路を備えた制御手段が、傘の把持部に備えられており、調光フィルムを駆動するスイッチが、光センサを使用したスイッチであっても良い。以下に、図１〜図３を用いて本発明の傘について説明する。
【００２９】
＜傘＞
図１（ａ）は、傘の骨組み３１を模式的に例示した説明図である。傘の骨組み３１は、全体の支柱である中棒２の一方の端部に、傘全体を支持する中棒２を把持する把持部である手元１を備えている。中棒２のもう一方の端部は、石突３と呼ばれる傘の先端部を備えている。中棒２は通常は中空の円筒状の金属からなる。
【００３０】
石突３の近傍には、中棒２に固定された上ろくろ７と、上ろくろ７より手元１側に、中棒２に沿って摺動可能な中棒２より一回り大きい円筒状の下ろくろ６が備えられている。
【００３１】
上ろくろ７は、中棒２に固定された円筒状の部材であって、それに複数の親骨４が、通常は上ろくろ７から放射状に、同じ長さの親骨４が等角度間隔で配置され、親骨４の一方の端部は、上ろくろ７に回動可能に支持されている。回動可能とは、複数の親骨４の各々の上ろくろ７側の端部が中棒２となす角度の方向にのみ可動な状態で固定されていることを指す。各親骨４の上ろくろ７とは反対側の端部は、露先１７と呼ばれている。露先１７には、傘布２４が固定される。ここで傘布２４とは、傘３０の親骨４の上部を覆う布やシート状の物品である。図１（ｂ）に示す小間１２は隣接する親骨４の間の傘布２４を指す。
【００３２】
各親骨４は、親骨４の上ろくろ７から等距離の中間点に備えられただぼ８と、上ろくろ７と手元１の中間位置に備えられた下ろくろ６と、の間の各親骨４に１つずつの受骨５を備えている。各受骨４は、だぼ８と下ろくろ６に回動可能に接続されている。
【００３３】
傘の骨組み３１をこの様な構成とすることにより、下ろくろ６を中棒２に沿って摺動させることにより、すべての親骨４を開いたり、閉じたりすることが可能となる。親骨４を開くことは傘３０を開くことに対応する。親骨４を閉じることは傘３０をすぼめることに対応する。
【００３４】
下ろくろ６は、中棒２に沿って摺動可能であるが、下ろくろ６を上ろくろ７に沿って摺動して傘３０を開ききった状態で、固定可能となっている。下ろくろ６が固定可能となるのは、傘３０を開ききった位置に、上はじき１０が備えられているためである。上はじき１０は、中棒２に備えられた突起であって、バネによって中棒２の表面から突出しており、下ろくろ６が手元１側から摺動して上はじき１０を通過することは可能であるが、上はじき１０を通過した後は、上はじき１０の突起に当接して戻ることができない。下ろくろ６を手元１側に戻すには、上はじき１０を中棒２の中に押し込むことによって、下ろくろ６を通過させれば良い。
【００３５】
一方、下ろくろ６を中棒２に沿って摺動させて手元１側に戻すことにより、傘３０をすぼめた中棒２の位置には、上はじき７と同様の機能を備えた下はじき９が備えられている。下はじき９は、下ろくろ６を上はじき１０側からは通過させることができるが、下はじき９を通過した後は、逆戻りできない。下はじき９はバネによって中棒２の表面から突出しており、上はじき７と逆に、上はじき１０側から下ろくろ６が通過することはできるが、手元１側から上はじき１０側には通過できない構造を備えている。その状態で下ろくろ６は固定されることになる。下はじき９を中棒２の中に押し込むことによって、下はじき９を通過させることができる。
【００３６】
なお、下ろくろ６が上はじき１０を通過した後は、上ろくろ７と上はじき１０の間に備えられた止めびょう１１が備えられており、下ろくろ６が止めびょう１１より上ろくろ７側に移動できないようになっている。
【００３７】
図１（ｂ）は、図１（ａ）に例示した親骨４に傘布２４を取り付けて傘３０とした説明図である。親骨４の要所要所に傘布２４を縫い付けるなどの固定手段を用いて固定する。露先にも同様の固定手段により固定することにより、傘布２４を取り付ける事ができる。本発明においては、この傘布２４として、調光フィルムを使用していることが特徴である。
【００３８】
傘布２４の上ろくろ７の部分は、上ろくろ７が通る穴が形成されているため、雨が漏れる。そのため、水漏れ防止のための菊座１４という部材が石突３に通す形でその根元に備えられており、更に菊座１４の外側から押え付ける金具である陣笠１５が備えられているのが通常である。
【００３９】
また、上ろくろ７と菊座１４の間には、傘布２４の上ろくろ７側、すなわち傘の内側には、親骨４と傘布２４が直接触れて擦れない様に、天紙１６と呼ばれる当て布が接着されている。また小間１２（隣接する親骨４と親骨４の間の傘布２４）の外側（傘３０をすぼめた時に手元１に近い部位）に、すぼめた傘３０の傘布２４を束ねるバンド１３を備えられているのが普通である。ただし、調光フィルムに接続する電気配線、スイッチ、駆動回路、電池などは省略して示している。
【００４０】
（調光フィルムのスイッチ等）
図２は、傘の把持部である手元１の内部に、電池２０とスイッチ１９と調光フィルムを駆動するための駆動回路１８を備えている場合を例示した透視説明図である。この中でスイッチ１９は、スイッチ操作可能とするため、手元１の表面に露出している。駆動回路１８と電池２０は、手元１の内部に収納されている。電池２０は消耗品であるため、容易に交換可能な構造や手段を手元１に備えていることが望ましい。または、電池２０として充電可能な二次電池を使用する場合は、充電用の電極やソケットなどを備えておけば良い。ここで、把持部の内部は傘の他の部位と比べて、高い防水性を有する。そのため、把持部内部に駆動回路１８や電池２０を設けることにより、浸水等による故障を有効に低減することが可能になる。より好ましくは、スイッチ１９も表面をゴムや樹脂等により被覆されて水密な構成にする。
【００４１】
電池２０とスイッチ１９と駆動回路１８は、配線２６によって電気的に接続されている。駆動回路１８から出た配線２６は、中棒２の中を通り、調光フィルムに接続される。調光フィルムに接続される配線２６がどの様な経路を経て接続されるか、については特に限定する必要は無い。例えば、配線２６は中棒２の内部を通り、上ろくろ７を経て、親骨４の内部を通し、露先１７まで延ばし、そこで調光フィルムの電極に電気的に接続することが可能である。調光フィルムの電極と配線２６を電気的に接続する方法としては、異方性導電フィルム（Ａｎｉｓｏｔｒｏｐｉｃ  Ｃｏｎｄｕｃｔｉｖｅ  Ｆｉｌｍ）、はんだ付け、ハトメなどを使用することができる。
調光フィルムに配線２６を接続する位置については、露先１７に限定する必要は無い。例えば、菊座１４において接続することも可能である。
【００４２】
スイッチ１９としては、機械的にＯＮ・ＯＦＦ操作を行うタイプであっても良いし、明るさによってＯＮ・ＯＦＦする光センサをスイッチとして使用しても良い。例えば、光センサを傘布２４近傍に配置することによって、晴れているか、雨であるか、を明るさで検知し、その検知結果によって調光フィルムを透明状態と遮光状態を自動的に切り替えることができる。
【００４３】
この様に傘の手元１に調光フィルムの透明状態と遮光状態を切り替え可能なスイッチ１９を備えておくことによって、傘の手元１を把持した状態でも、容易に切り替え可能となる。また、電気回路系統はいずれも傘本来の構成内部に配設されている。従って、電気回路系統は、降雨による浸水や直射日光による被爆等の外的要因から有効に保護される。よって、安全性と長寿命化が確実に担保された構成になっている。
【００４４】
（調光フィルム）
図３は、傘布として使用する調光フィルム２５の層構造を例示した断面説明図である。この調光フィルム２５は、透明樹脂フィルム２１の表面に透明導電膜２２を形成した２枚の透明導電膜付透明樹脂フィルムの透明導電膜２２側を内側にして、調光層２３をサンドイッチした積層体である。
【００４５】
調光フィルムとしては、市販されているものを好適に使用可能である。例えば、調光フィルム  ＬＣ  ＭＡＧＩＣ（凸版印刷株式会社の登録商標。以下同じ。）を好適に使用することができる。ＬＣ  ＭＡＧＩＣは、調光層がスポンジ構造を備えており、二色性色素によるカラー表示が可能である。また、電圧を印加していない状態で透明状態となるリバースモードが可能である特徴を備えている。また、調光層の厚さが０．１ｍｍと薄く、従来の調光フィルムと比べて駆動電圧が低く、消費電力が小さいという特徴を備えた調光フィルムである。また、フィルム単体での使用も可能である。
【００４６】
調光フィルム２５の透明導電膜２２をベタのまま使用することもできるが、セグメント型またはマトリクス型の駆動電極とすることも可能である。セグメント型やマトリクス型の駆動電極は、透明導電膜２２に例えばパターニング加工を施すことにより得ることができる。セグメント型駆動電極の形態としては、小間１２毎に独立した駆動電極とすることもできる。セグメント型駆動電極では、表示可能なパターンが固定されるものの、回路構成が簡素になるという利点がある。上述したような実施形態の傘３０は他の調光フィルム適用例と比し、配線スペースが極めて制限される上、快適な使用を実現するために重量も制約がある。セグメント型駆動電極として構成することによりこれらの要求にも柔軟に対応することが可能になる。さらに、このように構成することにより、例えば日傘として使用しつつも使用者の前方視を確保することも可能となる。
【００４７】
セグメント型駆動電極に対して、マトリクス型駆動電極は、駆動回路１８からの信号に従って表示可能なパターンや文字などを際限なく多くすることができる。そのため、傘により高い意匠性を付与することができる。またマトリクス型駆動電極を採用することにより、表示装置の様な数字を表示したり、アルファベットを表示したりすることもできる。つまり、マトリクスの１セグメントのサイズや駆動制御をより精細に行うかにより、表示バリエーションを柔軟に設定することが可能になる。つまり、この観点からも、晴雨兼用という機能を備えつつもよりデザイン性に富んだ傘が提供される。
【００４８】
また、調光フィルム２５として、ＬＣ  ＭＡＧＩＣを使用した場合、２色表示が可能となり、更に高い意匠性を備えた傘３０とすることが可能である。
【００４９】
以上のように本実施形態の傘３０は、雨傘として使用する時には傘布を透明状態にして視界を確保可能とし、日傘として使用する時は傘布を遮光状態にして強い日光を遮ることが可能となる。このように本発明によれば、透明状態と不透明状態を部分的に設定することなどにより傘布に高い意匠性を付与することが可能な傘を提供することができる。
【符号の説明】
【００５０】
１・・・手元（傘の把持部）
２・・・中棒
３・・・石突
４・・・親骨
５・・・受骨
６・・・下ろくろ
７・・・上ろくろ
８・・・だぼ
９・・・下はじき
１０・・・上はじき
１１・・・止めびょう
１２・・・小間
１３・・・バンド
１４・・・菊座
１５・・・陣笠
１６・・・天紙
１７・・・露先
１８・・・駆動回路
１９・・・スイッチ
２０・・・電池
２１・・・透明樹脂フィルム
２２・・・透明導電膜
２３・・・調光層
２４・・・傘布
２５・・・調光フィルム
２６・・・配線
３０・・・傘
３１・・・傘の骨組み
【図１】
2019080714.tif 000003
【図２】
2019080714.tif 000004
【図３】
2019080714.tif 000005